(57)【要約】【課題】収容部から育苗ポットが抜け落ちることを抑制できる育苗ポット用トレイを提供すること。【解決手段】収容部２に育苗ポット１００が収容される収容状態において、壁部２１が非形成とされる領域で隣接する育苗ポット１００が、互いの側面を押圧し合う態様で収容されるので、収容状態において育苗ポット１００を収容部２に安定して収容できる。この収容状態においては、壁部２１の上端が育苗ポット１００の床土１０１の上端よりも上方に位置するので、運送時等の振動によって収容部２から育苗ポット１００が抜け落ちようとした場合に、育苗ポット１００の側面が収容部２の外方側に倒れることを壁部２１によって規制できる。これにより、収容部２から育苗ポット１００が抜け落ちようとしても、隣接する育苗ポット１００の側面どうしの密着力が低減することを抑制できるので、収容部２から育苗ポット１００が抜け落ちることを抑制できる。【選択図】図１
2019195311.tif 000002
【特許請求の範囲】
【請求項１】
育苗ポットの底面を支持するための底部と、その底部に前記育苗ポットが支持された場合に前記育苗ポットの側面を支持するための壁部と、を有する収容部を複数備える育苗ポット用トレイにおいて、
前記収容部は、複数の前記育苗ポットを収容可能に構成され、
前記壁部は、複数の前記収容部どうしを区画し、
前記収容部に複数の前記育苗ポットが収容された収容状態において、前記壁部が非形成とされる領域で隣接する前記育苗ポットが互いの側面を押圧し合う態様で前記収容部に収容されると共に、前記壁部の上端は前記育苗ポットに収容された充填物の上端よりも上方に位置することを特徴とする育苗ポット用トレイ。
【請求項２】
育苗ポットの底面を支持するための底部と、その底部に前記育苗ポットが支持された場合に前記育苗ポットの側面を支持するための壁部と、を有する収容部を複数備える育苗ポット用トレイにおいて、
前記壁部は、複数の前記収容部どうしを区画すると共に複数の前記育苗ポットのそれぞれの側面を二方または三方から支持可能に構成され、
前記収容部に複数の前記育苗ポットが収容された収容状態において、前記壁部が非形成とされる領域で隣接する前記育苗ポットが互いの側面を押圧し合う態様で前記収容部に収容されると共に、前記壁部の上端は前記育苗ポットに収容された充填物の上端よりも上方に位置することを特徴とする育苗ポット用トレイ。
【請求項３】
前記壁部は、前記壁部が非形成とされる領域で隣接する前記育苗ポットどうしの側面を支持可能に構成される支持部材を備え、
前記収容状態において、前記支持部材の上端が前記育苗ポットの上端よりも下方に位置することを特徴とする請求項１又は２に記載の育苗ポット用トレイ。
【請求項４】
前記支持部材は、前記育苗ポットの側面を幅方向において断続的に支持可能に構成されることを特徴とする請求項３記載の育苗ポット用トレイ。
【請求項５】
前記支持部材は、前記育苗ポットの側面の幅方向中央側を支持可能に構成され、
前記育苗ポットの側面の幅方向端部側において前記支持部材が非形成とされることを特徴とする請求項４記載の育苗ポット用トレイ。
【請求項６】
前記支持部材は、前記育苗ポットの側面の幅方向端部側を支持可能に構成され、
前記育苗ポットの側面の幅方向中央側において前記支持部材が非形成とされることを特徴とする請求項４記載の育苗ポット用トレイ。
【請求項７】
前記収容状態において、前記壁部の上端が前記育苗ポットの上端よりも上方に位置することを特徴とする請求項１から６のいずれかに記載の育苗ポット用トレイ。
【請求項８】
前記壁部は、その上端から下方に延びる切欠きとして構成されると共に隣接する前記収容部どうしを連通する切欠き部を備え、
前記収容状態において、前記切欠き部の下端が前記育苗ポットの上端よりも下方に位置することを特徴とする請求項７記載の育苗ポット用トレイ。
【請求項９】
前記壁部は、その上端側の部位を構成する第１傾斜部と、その第１傾斜部から前記底部に向けて垂下すると共に前記壁部の下端側の部位を構成する第２傾斜部と、を備え、
前記収容部の高さ方向に対する前記第１傾斜部の傾斜角が前記第２傾斜部の傾斜角よりも小さく設定されることを特徴とする請求項１から８のいずれかに記載の育苗ポット用トレイ。
【請求項１０】
前記壁部は、複数の前記育苗ポットのそれぞれの側面を三方から支持可能に構成され、
前記育苗ポットの側面が倒れようとする方向は、前記壁部が非形成とされる一方側に制限されることを特徴とする請求項２から９のいずれかに記載の育苗ポット用トレイ。
【請求項１１】
前記壁部は、前記収容部を上面視において略正方形状に区画し、
前記収容部は、４個の前記育苗ポットを収容可能に構成され、
前記収容状態において、４個の前記育苗ポットのそれぞれの側面が前記壁部によって二方から支持されることを特徴とする請求項１記載の育苗ポット用トレイ。
【請求項１２】
前記収容部の中央部分において立設される立設部を備えることを特徴とする請求項１１記載の育苗ポット用トレイ。
【請求項１３】
前記壁部は、前記収容部を上面視において長方形状に区画し、
前記収容部は、その長手方向に沿って１列に前記育苗ポットを収容可能に構成されることを特徴とする請求項１記載の育苗ポット用トレイ。
【請求項１４】
前記収容部は、３個の前記育苗ポットを収容可能に構成されることを特徴とする請求項１３記載の育苗ポット用トレイ。
【請求項１５】
前記収容部は、２個の前記育苗ポットを収容可能に構成されることを特徴とする請求項１３記載の育苗ポット用トレイ。
【発明の詳細な説明】
【技術分野】
【０００１】
本発明は、育苗ポット用トレイに関し、特に、収容部から育苗ポットが抜け落ちることを抑制できる育苗ポット用トレイに関する。
【背景技術】
【０００２】
鉢状の育苗ポットの底面を支持するための底部と、育苗ポットの側面を四方から支持するための壁部と、を有する収容部を複数備える育苗ポット用トレイが知られている。例えば、特許文献１には、育苗ポットの上端よりも低い位置に形成される基部や支持板（壁部）によって、育苗ポットの側面を四方から支持する育苗ポット用トレイが記載されている。この育苗ポット用トレイによれば、壁部の高さが育苗ポットよりも低い領域においては、育苗ポットの側面どうしを互いに押圧させた状態で、収納スペース（収容部）に育苗ポットを収容することができる。よって、育苗ポットの収容スペースを低減できる。
【先行技術文献】
【特許文献】
【０００３】
【特許文献１】特開２０１４−１０００７２（例えば、段落００３９，００６６、図６，１３）
【発明の概要】
【発明が解決しようとする課題】
【０００４】
しかしながら、上述した従来の技術では、育苗ポットよりも低い高さの壁部のみによって育苗ポットの側面が支持される領域が存在し、かかる領域においては、運送時等の振動によって収容部から育苗ポットが抜け落ちやすいという問題点があった。
【０００５】
本発明は、上述した問題点を解決するためになされたものであり、収容部から育苗ポットが抜け落ちることを抑制できる育苗ポット用トレイを提供することを目的としている。
【課題を解決するための手段】
【０００６】
この目的を達成するために本発明の育苗ポット用トレイは、育苗ポットの底面を支持するための底部と、その底部に前記育苗ポットが支持された場合に前記育苗ポットの側面を支持するための壁部と、を有する収容部を複数備えるものであり、前記収容部は、複数の前記育苗ポットを収容可能に構成され、前記壁部は、複数の前記収容部どうしを区画する壁部を備え、前記収容部に複数の前記育苗ポットが収容された収容状態において、前記壁部が非形成とされる領域で隣接する前記育苗ポットが互いの側面を押圧し合う態様で前記収容部に収容されると共に、前記壁部の上端は前記育苗ポットに収容された充填物の上端よりも上方に位置する。
【発明の効果】
【０００７】
請求項１記載の育苗ポット用トレイによれば、収容部は、複数の育苗ポットを収容可能に構成され、壁部は、複数の収容部どうしを区画するので、収容部に収容される複数の育苗ポットを壁部によって取り囲むことができる。かかる収容状態において、壁部が非形成とされる領域で隣接する育苗ポットが互いの側面を押圧し合う態様で収容部に収容されるので、収容状態において育苗ポットを収容部に安定して収容できる。
【０００８】
この収容状態においては、育苗ポットに収容された充填物の上端よりも上方に壁部の上端が位置するので、運送時等の振動によって収容部から育苗ポットが抜け落ちようとした場合に、育苗ポットの側面が収容部の外方側に倒れることを壁部によって規制できる。これにより、収容部から育苗ポットが抜け落ちようとしても、隣接する育苗ポットの側面どうしの密着力が低減することを抑制できるので、収容部から育苗ポットが抜け落ちることを抑制できるという効果がある。
【０００９】
請求項２記載の育苗ポット用トレイによれば、壁部は、複数の収容部どうしを区画すると共に複数の育苗ポットのそれぞれの側面を二方または三方から支持可能に構成されるので、収容部に収容される育苗ポットの二方または三方を壁部によって取り囲むことができる。かかる収容状態において、壁部が非形成とされる領域で隣接する育苗ポットが互いの側面を押圧し合う態様で収容部に収容されるので、収容状態において育苗ポットを収容部に安定して収容できる。
【００１０】
この収容状態においては、育苗ポットに収容された充填物の上端よりも上方に壁部の上端が位置するので、運送時等の振動によって収容部から育苗ポットが抜け落ちようとした場合に、育苗ポットの側面が収容部の外方側に倒れることを壁部によって規制できる。これにより、収容部から育苗ポットが抜け落ちようとしても、隣接する育苗ポットの側面どうしの密着力が低減することを抑制できるので、収容部から育苗ポットが抜け落ちることを抑制できるという効果がある。
【００１１】
請求項３記載の育苗ポット用トレイによれば、請求項１又は２に記載の育苗ポット用トレイの奏する効果に加え、壁部は、収容部における壁部が非形成とされる領域で育苗ポットの側面を支持可能に構成される支持部材を備えるので、育苗ポットの側面を壁部および支持部材によって支持することができる。かかる収容状態において、支持部材の上端が育苗ポットの上端よりも下方に位置するので、支持部材を挟んで隣接する育苗ポットの側面どうしの密着力を確保できる。また、一の育苗ポットが収容部から取り出されても、その一の育苗ポットに隣接する他の収容ポットが転倒することを支持部材によって規制できるという効果がある。
【００１２】
請求項４記載の育苗ポット用トレイによれば、請求項３記載の育苗ポット用トレイの奏する効果に加え、支持部材は、育苗ポットの側面を幅方向において断続的に支持可能に構成されるので、支持部材が非形成とされる領域において、隣接する育苗ポットの側面どうしを当接させることができるという効果がある。
【００１３】
請求項５記載の育苗ポット用トレイによれば、請求項４記載の育苗ポット用トレイの奏する効果に加え、次の効果を奏する。支持部材は、育苗ポットの側面の幅方向中央側を支持可能に構成され、育苗ポットの側面の幅方向端部側において支持部材が非形成とされる。これにより、育苗ポットの収容状態において、育苗ポットの側面の幅方向中央側を支持部材によって支持することができると共に、隣接する育苗ポットの幅方向端部側の側面どうしを当接させることができるという効果がある。
【００１４】
請求項６記載の育苗ポット用トレイによれば、請求項４記載の育苗ポット用トレイの奏する効果に加え、次の効果を奏する。支持部材は、育苗ポットの側面の幅方向端部側を支持可能に構成され、育苗ポットの側面の幅方向中央側において支持部材が非形成とされる。これにより、育苗ポットの収容状態において、育苗ポットの側面の幅方向端部側を支持部材によって支持することができると共に、隣接する育苗ポットの幅方向中央側の側面どうしを当接させることができるという効果がある。
【００１５】
請求項７記載の育苗ポット用トレイによれば、請求項１から６のいずれかに記載の育苗ポット用トレイの奏する効果に加え、収容部に育苗ポットが収容された収容状態において、壁部の上端が育苗ポットの上端よりも上方に位置するので、運送時等の振動によって収容部から育苗ポットが抜け落ちようとした場合に、育苗ポットの側面が収容部の外方側に倒れることを壁部によってより効果的に規制できる。これにより、収容部から育苗ポットが抜け落ちようとしても、隣接する育苗ポットの側面どうしの密着力を確保できるので、収容部から育苗ポットが抜け落ちることをより効果的に抑制できるという効果がある。
【００１６】
請求項８記載の育苗ポット用トレイによれば、請求項７記載の育苗ポット用トレイの奏する効果に加え、壁部は、その上端から下方に延びる切欠きとして構成されると共に隣接する収容部どうしを連通する切欠き部を備え、収容部に育苗ポットが収容された収容状態において、切欠き部の下端が育苗ポットの上端よりも下方に位置するので、隣接する収容部のそれぞれに収容される育苗ポットの上端部分を、切欠き部を介して同時に掴むことができる。よって、壁部の上端が育苗ポットの上端よりも上方に位置する場合でも、育苗ポットを収容部から容易に取り出すことができるという効果がある。
【００１７】
請求項９記載の育苗ポット用トレイによれば、請求項１から８のいずれかに記載の育苗ポット用トレイの奏する効果に加え、壁部は、その上端側の部位を構成する第１傾斜部と、その第１傾斜部から底部に向けて垂下すると共に壁部の下端側の部位を構成する第２傾斜部と、を備えるので、収容部に育苗ポットが収容された場合、壁部に対面する育苗ポットの側面は、その上端側の部位が第１傾斜部によって支持されると共に下端側の部位が第２傾斜部によって支持される。
【００１８】
収容部の高さ方向に対する第１傾斜部の傾斜角が第２傾斜部の傾斜角よりも小さく設定されるので、運送時等の振動によって収容部から育苗ポットが抜け落ちようとした場合に、育苗ポットの側面が収容部の外方側に倒れることを第１傾斜部によってより効果的に規制できる。これにより、収容部から育苗ポットが抜け落ちようとしても、隣接する育苗ポットの側面どうしの密着力が低減することを抑制できるので、収容部から育苗ポットが抜け落ちることをより効果的に抑制できるという効果がある。
【００１９】
請求項１０記載の育苗ポット用トレイによれば、請求項２から９のいずれかに記載の育苗ポット用トレイの奏する効果に加え、壁部は、複数の育苗ポットのそれぞれの側面を三方から支持可能に構成されるので、収容部に収容される育苗ポットを壁部によって三方から取り囲むことができる。これにより、育苗ポットの側面が倒れようとする方向は、壁部が非形成とされる一方側（一方向）に制限される。よって、収容部から育苗ポットが抜け落ちようとしても、隣接する育苗ポットの側面どうしの密着力が低減することを抑制できるので、収容部から育苗ポットが抜け落ちることをより効果的に抑制できるという効果がある。
【００２０】
請求項１１記載の育苗ポット用トレイによれば、請求項１記載の育苗ポット用トレイの奏する効果に加え、次の効果を奏する。壁部は、複数の収容部のそれぞれを上面視において略正方形に区画し、複数の収容部のそれぞれは、４個の育苗ポットを収容可能に構成され、それら４個の育苗ポットが収容部に収容された収容状態においては、４個の育苗ポットのそれぞれの側面が壁部によって二方から支持される。これにより、育苗ポットの側面が倒れようとする方向は、正方形状の収容部の中央側に集中する。よって、育苗ポットの側面が壁部によって二方から支持される場合でも、育苗ポットの側面どうしの密着力を確保できるので、収容部に育苗ポットを安定して収容することができるという効果がある。
【００２１】
請求項１２記載の育苗ポット用トレイによれば、請求項１１記載の育苗ポット用トレイの奏する効果に加え、収容部の中央部分において立設される立設部を備えるので、収容部の中央に向けて倒れる４個の育苗ポットの側面を立設部によって支持することができる。よって、収容部に育苗ポットをより安定して収容することができるという効果がある。
【００２２】
請求項１３記載の育苗ポット用トレイによれば、請求項１記載の育苗ポット用トレイの奏する効果に加え、壁部は、収容部を上面視において長方形状に区画し、収容部は、その長手方向に沿って１列に育苗ポットを収容可能に構成されるので、収容部の長手方向両端に位置する一対の育苗ポットの側面は、壁部によって三方から支持され、かかる一対の育苗ポットの間に位置する育苗ポットの側面は、壁部によって収容部の短手方向から挟持される態様で（二方から）支持される。
【００２３】
これにより、収容部に収容されるそれぞれの育苗ポットの側面が倒れようとする方向は、収容部の長手方向に制限されるので、育苗ポットの側面どうしの押圧方向を一方向に集中させることができる。よって、育苗ポットの側面どうしの密着力を確保できるので、収容部に育苗ポットを安定して収容することができるという効果がある。
【００２４】
請求項１４記載の育苗ポット用トレイによれば、請求項１３記載の育苗ポット用トレイの奏する効果に加え、収容部は、３個の育苗ポットを収容可能に構成されるので、壁部に二方から支持される１個の育苗ポット（収容部の長手方向中央に位置するもの）を、壁部に三方から支持される育苗ポット（収容部の長手方向両端に位置するもの）によって挟持することができる。これにより、壁部によって二方から支持される育苗ポットが存在する場合でも、育苗ポットの側面どうしの密着力を確保できるので、収容部に育苗ポットを安定して収容することができるという効果がある。
【００２５】
請求項１５記載の育苗ポット用トレイによれば、請求項１３記載の育苗ポット用トレイの奏する効果に加え、収容部は、２個の育苗ポットを収容可能に構成されるので、壁部に三方から支持される育苗ポットの側面どうしを密着させることができる。かかる２個の育苗ポットの側面が倒れようとする方向は、互いに隣接する育苗ポットに向けた方向に制限されているため、育苗ポットの側面どうしの密着力をより効果的に確保できる。よって、収容部に育苗ポットをより安定して収容することができるという効果がある。
【図面の簡単な説明】
【００２６】
【図１】本発明の第１実施形態における育苗ポット用トレイの斜視図である。
【図２】育苗ポット用トレイの上面図である。
【図３】（ａ）は、図２のＩＩＩａ−ＩＩＩａ線における育苗ポット用トレイの部分拡大断面図であり、（ｂ）は、育苗ポットの側面図である。
【図４】（ａ）は、収容部に１個の育苗ポットが収容された状態を示す育苗ポット用トレイの部分拡大断面図であり、（ｂ）は、収容部に２個の育苗ポットが収容された状態を示す育苗ポット用トレイの部分拡大断面図である。
【図５】（ａ）は、図４（ｂ）の状態から１個の育苗ポットが抜け落ちる方向に変位した状態を示す育苗ポット用トレイの部分拡大断面図であり、（ｂ）は、図５（ａ）の状態から壁部の上端側まで育苗ポットが変位した状態を示す育苗ポット用トレイの部分拡大断面図である。
【図６】（ａ）は、第２実施形態における育苗ポット用トレイの部分拡大上面図であり、（ｂ）は、収容部に育苗ポットが収容された状態を示す育苗ポット用トレイの部分拡大上面図である。
【図７】（ａ）は、第３実施形態における育苗ポット用トレイの部分拡大上面図であり、（ｂ）は、収容部に育苗ポットが収容された状態を示す育苗ポット用トレイの部分拡大上面図である。
【図８】（ａ）は、第４実施形態における育苗ポット用トレイの部分拡大上面図であり、（ｂ）は、収容部に育苗ポットが収容された状態を示す育苗ポット用トレイの部分拡大上面図である。
【図９】（ａ）は、第５実施形態における育苗ポット用トレイの部分拡大上面図であり、（ｂ）は、収容部に育苗ポットが収容された状態を示す育苗ポット用トレイの部分拡大上面図である。
【図１０】（ａ）は、第６実施形態における育苗ポット用トレイの上面図であり、（ｂ）は、収容部に育苗ポットが収容された状態を示す育苗ポット用トレイの上面図である。
【図１１】（ａ）は、第７実施形態における育苗ポット用トレイの部分拡大上面図であり、（ｂ）は、図１１（ａ）のＸＩｂ−ＸＩｂ線における育苗ポット用トレイの部分拡大断面図である。
【図１２】（ａ）は、育苗ポットの側面図であり、（ｂ）は、収容部に育苗ポットが収容された状態を示す育苗ポット用トレイの部分拡大断面図である。
【図１３】（ａ）は、第８実施形態における育苗ポット用トレイの部分拡大上面図であり、（ｂ）は、収容部に育苗ポットが収容された状態を示す育苗ポット用トレイの部分拡大上面図である。
【図１４】（ａ）は、第９実施形態における育苗ポット用トレイの部分拡大上面図であり、（ｂ）は、収容部に育苗ポットが収容された状態を示す育苗ポット用トレイの部分拡大上面図である。
【図１５】（ａ）は、第１０実施形態における育苗ポット用トレイの部分拡大上面図であり、（ｂ）は、収容部に育苗ポットが収容された状態を示す育苗ポット用トレイの部分拡大上面図である。
【図１６】（ａ）は、第１１実施形態における育苗ポット用トレイの部分拡大上面図であり、（ｂ）は、収容部に育苗ポットが収容された状態を示す育苗ポット用トレイの部分拡大上面図である。
【図１７】（ａ）は、第１２実施形態における育苗ポット用トレイの上面図であり、（ｂ）は、収容部に育苗ポットが収容された状態を示す育苗ポット用トレイの上面図である。
【図１８】（ａ）は、第１３実施形態における育苗ポット用トレイの部分拡大斜視図であり、（ｂ）は、第１４実施形態における育苗ポット用トレイの部分拡大上面図である。
【図１９】（ａ）は、図１８（ｂ）のＸＩＸａ−ＸＩＸａ線における育苗ポット用トレイの部分拡大断面図であり、（ｂ）は、収容部に育苗ポットが収容された状態を示す育苗ポット用トレイの部分拡大断面図である。
【発明を実施するための形態】
【００２７】
以下、本発明の好ましい実施の形態について、添付図面を参照して説明する。まず、図１及び図２を参照して、第１実施形態の育苗ポット用トレイ１の概略構成について説明する。図１は、本発明の第１実施形態における育苗ポット用トレイ１の斜視図であり、図２は、育苗ポット用トレイ１の上面図である。
【００２８】
図１に示すように、育苗ポット用トレイ１は、育苗ポット１００を複数保持するためのトレイであり、樹脂材料を用いて形成される。育苗ポット用トレイ１は、育苗ポット１００を収容するための複数（本実施形態では、５行×４列の２０個）の収容部２を備える。
【００２９】
収容部２は、育苗ポット１００の底面を支持するための底部２０と、その底部２０の外縁から上方に立設される壁部２１と、その壁部２１が非形成とされる領域を区画する支持部材２２と、を備える。底部２０及び壁部２１によって取り囲まれる空間内に２個の育苗ポット１００が収容可能に構成される。
【００３０】
よって、育苗ポット用トレイ１は、最大で合計４０個（５行×８列）の育苗ポット１００を収容することができ、上面視において長方形状に形成される（図２参照）。なお、以下の説明において、育苗ポット用トレイ１の短辺方向（図２の上下方向）を「短辺方向」、育苗ポット用トレイ１の長辺方向（図２の左右方向）を「長辺方向」、育苗ポット用トレイ１の高さ方向（図２の紙面垂直方向）を「高さ方向」、とそれぞれ省略して記載する。
【００３１】
図２に示すように、底部２０は、長辺方向に延びる２本のリブ状の第１リブ２０ａと、短辺方向に延びる４本の第２リブ２０ｂと、を備え、それら第１リブ２０ａ及び第２リブ２０ｂが一体的に形成されることで底部２０は格子状に形成されている。第１リブ２０ａは、第２リブ２０ｂよりも長い寸法で形成され、底部２０は上面視において長辺方向に長い長方形状に形成される。
【００３２】
長辺方向における第１リブ２０ａの中央部分は、上方に向けて隆起するように突出している（図１参照）。２本の第１リブ２０ａのかかる突出部分どうしが短辺方向で接続されることにより、支持部材２２が形成される。
【００３３】
支持部材２２は、壁部２１によって取り囲まれる収容空間を区画（本実施形態では、２分割）するための部位である。収容部２の長辺方向中央部分に支持部材２２が形成されることにより、壁部２１と支持部材２２とによって取り囲まれる収容空間は、上面視において略正方形状に形成され（図２参照）、壁部２１及び支持部材２２によって四方から育苗ポット１００を支持可能に構成される。第２リブ２０ｂは、支持部材２２を挟んで長辺方向両側にそれぞれ２本ずつ設けられる。
【００３４】
壁部２１は、第１リブ２０ａ及び第２リブ２０ｂのそれぞれの両端から上方に延びる複数（本実施形態では、１２個）の脚部２１ａ（図１参照）と、それら複数の脚部２１ａの上端どうしを連結する連結部２１ｂと、その連結部２１ｂの上端部分を下方に切欠いて形成される切欠き部２１ｃと、を備える。
【００３５】
脚部２１ａは、育苗ポット１００の側面を支持するためのリブ状の部位であり、長辺方向に延びる壁部２１には４本、短辺方向に延びる壁部２１には２本の脚部２１ａがそれぞれ設けられる。
【００３６】
切欠き部２１ｃは、隣接する収容部２どうしを連通する切欠きであり、長辺方向に延びる壁部２１には２個、短辺方向に延びる壁部２１には１個の切欠き部２１ｃがそれぞれ設けられる。長辺方向に延びる壁部２１における２個の切欠き部２１ｃは、長辺方向において支持部材２２を挟んで一対に設けられる。
【００３７】
次いで、図３を参照して、収容部２及び育苗ポット１００の詳細構成について説明する。図３（ａ）は、図２のＩＩＩａ−ＩＩＩａ線における育苗ポット用トレイ１の部分拡大断面図であり、図３（ｂ）は、育苗ポット１００の側面図である。
【００３８】
図３（ａ）に示すように、脚部２１ａは、底部２０の外縁（第１リブ２０ａや第２リブ２０ｂの端部）から収容部２の外方に向けて上昇傾斜して形成され、かかる傾斜角と略同一の角度で脚部２１ａに連結部２１ｂが連設される。
【００３９】
連結部２１ｂは、収容部２から育苗ポット１００が抜け落ちるのを規制するための部位である。連結部２１ｂの下端側の（脚部２１ａに連設される）部位の傾斜角は、脚部２１ａと同一の傾斜角に設定される。一方、連結部２１ｂの上端側の部位の高さ方向に対する傾斜角は、下端側の部位に比べて角度θ（本実施形態では、３°）の分、小さく設定されている。詳細は後述するが、この傾斜角の相違は、育苗ポット１００が収容部２から抜け落ちることを抑制するためのものである。
【００４０】
収容部２を取り囲む４個の壁部２１のそれぞれの連結部２１ｂの上端（切欠き部２１ｃが非形成とされる領域）は、面一となるように形成されている。
【００４１】
図３（ｂ）に示すように、収容部２に収容される育苗ポット１００は、側面視において台形状（円錐台状）に形成される鉢状のポットであり、樹脂材料を用いて形成される。育苗ポット１００は、その内部に収容される床土１０１（図４参照）の重量によって変形する程度の柔軟性を有している。
【００４２】
長辺方向で対向する壁部２１と支持部材２２との下端どうしを結ぶ底部２０の寸法Ｌ１（本実施形態では、６０ｍｍ）は、育苗ポット１００の底面の直径Ｌａ（本実施形態では、６５ｍｍ）よりも小さく設定される。また、図示は省略するが、短辺方向（図３（ａ）の紙面垂直方向）で対向する壁部２１の下端どうしを結ぶ底部２０の寸法は、底部２０の寸法Ｌ１と略同一の寸法に設定される。なお、「略同一」とは、製造工程・材料・測定等のばらつきを許容する主旨である。具体的には、「略同一」とは、±１０％の範囲と定義し、以下の説明においても同様とする。
【００４３】
また、壁部２１の高さ寸法Ｌ２（本実施形態では、９３ｍｍ）は、育苗ポット１００の高さ寸法Ｌｂ（本実施形態では、７５ｍｍ）よりも大きく設定され、支持部材２２の高さ寸法Ｌ３（本実施形態では、３４ｍｍ）は、育苗ポット１００の高さ寸法Ｌｂよりも小さく設定される。よって、育苗ポット１００の外形形状よりも若干小さい収容空間が収容部２に形成される。
【００４４】
次いで、図４を参照して、収容部２に育苗ポット１００が収容された状態について説明する。図４（ａ）は、収容部２に１個の育苗ポット１００が収容された状態を示す育苗ポット用トレイ１の部分拡大断面図であり、図４（ｂ）は、収容部２に２個の育苗ポット１００が収容された状態を示す育苗ポット用トレイ１の部分拡大断面図である。なお、図４では、図面を簡素化するために、床土１０１に植えられる苗の図示を省略しており、図５以降においても同様とする。
【００４５】
図４（ａ）に示すように、育苗ポット１００には、その高さ寸法Ｌｂ（育苗ポット１００や育苗ポット用トレイ１の各部の寸法については、図３参照）の８割前後の高さまで床土１０１（培土）が充填される。この育苗ポット１００を収容部２に収容する場合、収容部２の底部２０の寸法Ｌ１が育苗ポット１００の底面の直径Ｌａよりも小さく設定されるので、育苗ポット１００の下端側の部位が窄まるようにして壁部２１と支持部材２２との間に収容される。
【００４６】
よって、育苗ポット１００が収容部２に収容された状態（以下「収容状態」と省略して記載する）では、育苗ポット１００の床土１０１によって壁部２１及び支持部材２２を押し広げる力が作用するため、その力に対する壁部２１及び支持部材２２の反力によって育苗ポット１００を強固に保持することができる。
【００４７】
上述した通り、育苗ポット１００の外形形状よりも若干小さい収容空間が収容部２に形成されているので、収容部２に育苗ポット１００が収容されると、かかる収容空間と育苗ポット１００との体積の差の分、床土１０１が支持部材２２を挟んで隣接する収容空間側に変位しようとする。支持部材２２の高さ寸法Ｌ３は、育苗ポット１００の高さ寸法Ｌｂよりも小さく設定されているので、収容部２に１個の育苗ポット１００が収容されると、育苗ポット１００の側面が床土１０１の重量によって支持部材２２に倒れ込むように変形する。
【００４８】
この場合、長辺方向（図４（ａ）の左右方向）で対面する一対の壁部２１の下端どうしを結ぶ底部２０の寸法は、育苗ポット１００の上端（開口部分）の直径よりも小さく設定されている。よって、支持部材２２を挟んで一対に育苗ポット１００が収容された場合に、それら一対の育苗ポット１００の側面どうしが互いに干渉する（当接する）ように、底部２０の長辺方向における寸法（収容部２の収容空間の寸法）が設定されている。
【００４９】
よって、図４（ｂ）に示すように、収容部２に２個の育苗ポット１００が収容されると、それら２個の育苗ポット１００の側面どうしが互いに押圧し合うため、育苗ポット１００の側面どうしの密着によって育苗ポット１００を安定して保持することができる。
【００５０】
更に、この収容状態においては、育苗ポット１００の側面が壁部２１によって三方から支持され、壁部２１の上端が育苗ポット１００の上端よりも上方に位置するので、育苗ポット１００の側面が倒れようとする方向が一方側（支持部材２２側）に制限される。これにより、隣接する育苗ポット１００の側面どうしの密着力を高めることができるので、育苗ポット１００を安定して保持することができる。
【００５１】
また、収容部２の収容空間が支持部材２２によって区画（２分割）されているので、収容部２から一方の育苗ポット１００が取り出された場合には（図４（ａ）参照）、他方の育苗ポット１００が転倒することを支持部材２２によって規制できる。更に、収容部２に２個目の育苗ポット１００を収容する場合には、既に収容されている１個目の育苗ポット１００の収容位置が支持部材２２によって規定されているので、収容部２に育苗ポット１００を容易に収容することができる。
【００５２】
また、収容状態においては、育苗ポット１００の側面が支持部材２２によって幅方向（本実施形態では、短辺方向）において断続的に支持される。即ち、図１及び図２に示すように、支持部材２２は、短辺方向（図２の上下方向）において壁部２１に対して非接続とされ、支持部材２２と壁部２１との間には空間が形成されている。これにより、かかる空間（支持部材２２が非形成とされる領域）を介して隣接する育苗ポット１００の側面どうしを当接させることができる。よって、育苗ポット１００どうしの間に支持部材２２が形成される場合であっても、隣接する育苗ポット１００の側面どうしの密着力を確保できる。
【００５３】
更に、支持部材２２は、育苗ポット１００の側面の幅方向中央側を支持可能に構成され、育苗ポット１００の側面の幅方向端部側において支持部材２２が非形成とされている。これにより、育苗ポット１００の収容状態において、育苗ポット１００の側面の幅方向中央側（床土１０１の重量によって変形しやすい部位）を支持部材２２によって支持することができる。よって、収容部２に２個目の育苗ポット１００を収容する場合に、既に収容されている１個目の育苗ポット１００の側面（幅方向中側の部位）が干渉することを抑制できるので、収容部２に育苗ポット１００を容易に収容することができる。
【００５４】
ここで、従来のように、育苗ポットよりも低い高さの壁部のみによって育苗ポットの側面が支持される構成の場合、例えば、運送時の振動によって１個の育苗ポットが収容部から抜け落ちる方向に変位をすると、育苗ポットの開口（上端部分）が四方に広がるように変形する。よって、育苗ポットが収容部から抜け落ちる方向に変位をすると、育苗ポットどうしの密着力が収容状態に比べて低減しやすい。
【００５５】
これに対して、本実施形態の育苗ポット用トレイ１によれば、かかる密着力の低減を抑制できる。この密着力の低減の抑制について、図５を参照して説明する。
【００５６】
図５（ａ）は、図４（ｂ）の状態から１個の育苗ポット１００が抜け落ちる方向に変位した状態を示す育苗ポット用トレイ１の部分拡大断面図であり、図５（ｂ）は、図５（ａ）の状態から壁部２１の上端側まで育苗ポット１００が変位した状態を示す育苗ポット用トレイ１の部分拡大断面図である。
【００５７】
図５（ａ）に示すように、育苗ポット用トレイ１に比較的強い振動が加わると、収容状態から１個の育苗ポット１００が抜け落ちる方向に変位する場合がある。この場合でも、本実施形態では、育苗ポット１００よりも高く形成される壁部２１によって三方から育苗ポット１００の側面が支持されているため、育苗ポット１００の側面が倒れようとする方向を支持部材２２側に制限することができる。
【００５８】
これにより、育苗ポット１００が抜け落ちる方向に変位をしても、育苗ポット１００の上端側の部位が四方に広がるように変形することを抑制できる。よって、収容部２から育苗ポット１００が抜け落ちようとしても、隣接する育苗ポット１００どうしの密着力が低減することを抑制できる。
【００５９】
また、図示は省略するが、収容状態から２個の育苗ポット１００が抜け落ちる方向に同時に変位した場合も同様に、壁部２１によって育苗ポット１００の側面が三方から支持されているため、隣接する育苗ポット１００どうしの側面が互いに押圧しやすくなる。これにより、収容部２から育苗ポット１００が抜け落ちようとしても、隣接する育苗ポット１００どうしの密着力が低減することを抑制できる。
【００６０】
また、連結部２１ｂの上端側の部位の高さ方向に対する傾斜角は、下端側の部位に比べて角度θの分、小さく設定されている（図３参照）。よって、図５（ｂ）に示すように、仮に、育苗ポット１００が壁部２１の上端側の部位まで変位をしても、育苗ポット１００の上端側の部位が四方に広がるように変形することを抑制できる。これにより、収容部２から育苗ポット１００が抜け落ちようとしても、隣接する育苗ポット１００どうしの密着力が低減することを抑制できる。
【００６１】
このように、育苗ポット１００を支持する壁部２１の高さを育苗ポット１００よりも高くすることにより、運送時等に育苗ポット用トレイ１に振動が加わっても、収容部２から育苗ポット１００が抜け落ちることを抑制できる。この一方で、育苗ポット１００よりも壁部２１が高く形成されることにより、収容部２から育苗ポット１００を取り出すことが従来に比べて困難となる。
【００６２】
これに対して、本実施形態では、壁部２１の連結部２１ｂには切欠き部２１ｃが形成され、この切欠き部２１ｃによって隣接する収容部２どうしが連通されている。また、収容状態において切欠き部２１ｃの下端が育苗ポット１００の上端よりも下方に位置するので（図４（ｂ）参照）、隣接する収容部２のそれぞれに収容される育苗ポット１００の上端部分を、切欠き部２１ｃを介して同時に掴むことができる。よって、育苗ポット１００よりも壁部２１が高く形成される場合でも、育苗ポット１００を収容部２から容易に取り出すことができる。
【００６３】
次いで、図６から図１０を参照して、第２〜第６実施形態について説明する。第１実施形態では、収容部２に２個の育苗ポット１００が収容可能に構成される場合を説明したが、第２〜第６実施形態では、収容部に３個以上の育苗ポット１００が収容可能に構成される場合について説明する。なお、上述した第１実施形態と同一の部分には同一の符号を付してその説明を省略する。
【００６４】
また、第２〜第６実施形態の育苗ポット用トレイ２０１，３０１，４０１，５０１，６０１は、壁部２１及び支持部材２２の配設位置が異なる点を除き、第１実施形態の育苗ポット用トレイ１と実質的に同一の構成とされる。よって、例えば、長辺方向や短辺方向で対向する各壁部（壁部２１や支持部材２２）の下端どうしを結ぶ底部２０の寸法は、第１実施形態の底部２０の寸法Ｌ１と略同一に設定されており、収容部に育苗ポット１００が収容された場合に育苗ポット１００の側面が互いに干渉し合う点についても第１実施形態と同様である。
【００６５】
まず、図６を参照して、第２実施形態について説明する。図６（ａ）は、第２実施形態における育苗ポット用トレイ２０１の部分拡大上面図であり、図６（ｂ）は、収容部２０２に育苗ポット１００が収容された状態を示す育苗ポット用トレイ２０１の部分拡大上面図である。なお、図６では、図面を簡素化するために、底部２０の第１リブ２０ａ及び第２リブ２０ｂ、壁部２１の脚部２１ａ、連結部２１ｂ、及び、切欠き部２１ｃの符号を省略しており、図７〜１０においても同様とする。
【００６６】
図６（ａ）に示すように、育苗ポット用トレイ２０１の収容部２０２は、上面視において壁部２１によって長辺方向に長い長方形状に区画される。支持部材２２は、収容部２０２を長手方向（長辺方向）で等間隔に３分割するように配置され、収容部２０２には、その長手方向で１列に３個の育苗ポット１００が収容可能に構成されると共に、その収容状態においては、育苗ポット１００の四方を壁部２１及び支持部材２２によって支持可能に構成される。
【００６７】
よって、図６（ｂ）に示すように、収容部２０２に３個の育苗ポット１００が収容されると、それら３個の育苗ポット１００の側面どうしが互いに押圧し合った状態で収容部２０２に収容される。これにより、長辺方向の両端側に位置する２個の育苗ポット１００の側面は、壁部２１によって三方から支持されるので、かかる２個の育苗ポット１００の側面は床土１０１の重量によって収容部２０２の長辺方向中央側に倒れようとする（図６（ｂ）の矢印参照）。
【００６８】
一方、収容部２０２の長辺方向中央に位置する育苗ポット１００の側面は、収容部２０２の短手方向（図６の上下方向）から挟持される態様で壁部２１によって二方から支持される。よって、かかる育苗ポット１００の側面は、床土１０１の重量によって収容部２０２の長手方向両端側に倒れようとする（図６（ｂ）の矢印参照）。
【００６９】
これにより、収容部２０２に収容されるそれぞれの育苗ポット１００の側面が倒れようとする方向は、収容部２０２の長手方向に制限されるので、育苗ポット１００の側面どうしの押圧方向を一方向に集中させることができる。よって、育苗ポット１００の側面どうしの密着力を確保できるので、収容部２０２に育苗ポット１００を安定して収容することができる。
【００７０】
この場合、壁部２１に三方から支持される育苗ポット１００に比べ、壁部２１に二方から支持される育苗ポット１００は、側面の倒れようとする力が弱くなる。これに対して、本実施形態では、壁部２１に二方から支持される１個の育苗ポット（収容部２０２の長手方向中央に位置するもの）を、壁部２１に三方から支持される育苗ポット１００（収容部２０２の長手方向両端に位置するもの）によって挟持することができる。これにより、壁部２１によって二方から支持される育苗ポット１００が存在する場合でも、育苗ポット１００の側面どうしの密着力を確保できるので、収容部２０２に育苗ポット１００を安定して収容することができる。
【００７１】
次いで、図７を参照して、第３実施形態について説明する。第２実施形態では、収容部２０２に３個の育苗ポット１００が収容可能に構成される場合を説明したが、第３実施形態では、収容部２０２に４個の育苗ポット１００が収容可能に構成される場合について説明する。
【００７２】
図７（ａ）は、第３実施形態における育苗ポット用トレイ３０１の部分拡大上面図であり、図７（ｂ）は、収容部３０２に育苗ポット１００が収容された状態を示す育苗ポット用トレイ３０１の部分拡大上面図である。
【００７３】
図７（ａ）に示すように、育苗ポット用トレイ３０１の収容部３０２は、上面視において壁部２１によって長辺方向に長い長方形状に区画される。支持部材２２は、収容部３０２を長手方向（長辺方向）で等間隔に４分割するように配置され、収容部３０２には、その長手方向で１列に４個の育苗ポット１００が収容可能に構成されると共に、その収容状態においては、育苗ポット１００の四方を壁部２１及び支持部材２２によって支持可能に構成される。
【００７４】
よって、図７（ｂ）に示すように、収容部３０２に４個の育苗ポット１００が収容されると、長辺方向の両端側に位置する２個の育苗ポット１００の側面は、壁部２１によって三方から支持される。これにより、かかる２個の育苗ポット１００の側面は、床土１０１の重量によって収容部３０２の長辺方向中央側に倒れようとする（図７（ｂ）の矢印参照）。
【００７５】
一方、収容部３０２の長辺方向中央側に位置する２個の育苗ポット１００の側面は、収容部３０２の短手方向（図７の上下方向）から挟持される態様で壁部２１によって二方から支持される。よって、かかる育苗ポット１００の側面は、床土１０１の重量によって収容部２０２の長手方向両端側に倒れようとする（図７（ｂ）の矢印参照）。これにより、第２実施形態と同様、育苗ポット１００の側面どうしの押圧方向を一方向に集中させることができるので、育苗ポット１００の側面どうしの密着力を確保できる。
【００７６】
次いで、図８を参照して、第４実施形態について説明する。第３実施形態では、収容部３０２に４個の育苗ポット１００が収容可能に構成される場合を説明したが、第４実施形態では、収容部４０２に８個の育苗ポット１００が収容可能に構成される場合について説明する。
【００７７】
図８（ａ）は、第４実施形態における育苗ポット用トレイ４０１の部分拡大上面図であり、図８（ｂ）は、収容部４０２に育苗ポット１００が収容された状態を示す育苗ポット用トレイ４０１の部分拡大上面図である。
【００７８】
図８（ａ）に示すように、育苗ポット用トレイ４０１の収容部４０２は、上面視において壁部２１によって長辺方向に長い長方形状に区画される。支持部材２２は、収容部４０２を長手方向（長辺方向）で等間隔に８分割するように配置され、収容部４０２には、その長手方向で１列に８個の育苗ポット１００が収容可能に構成されると共に、その収容状態においては、育苗ポット１００の四方を壁部２１及び支持部材２２によって支持可能に構成される。
【００７９】
これにより、図８（ｂ）に示すように、収容部４０２に８個の育苗ポット１００が収容されると、長辺方向の両端側に位置する２個の育苗ポット１００の側面は、壁部２１によって三方から支持される。一方、収容部４０２の長辺方向中央側に位置する６個の育苗ポット１００の側面は、収容部４０２の短手方向（図８の上下方向）から挟持される態様で壁部２１によって二方から支持される。よって、第２，３実施形態と同様、育苗ポット１００の側面どうしの押圧方向を一方向に集中させることができるので、育苗ポット１００の側面どうしの密着力を確保できる。
【００８０】
次いで、図９を参照して、第５実施形態について説明する。第２〜第４実施形態では、上面視において壁部２１によって収容部２０２，３０２，４０２が長方形状に区画される場合を説明したが、第５実施形態では、上面視において壁部２１によって収容部５０２が正方形状に区画される場合について説明する。
【００８１】
図９（ａ）は、第５実施形態における育苗ポット用トレイ５０１の部分拡大上面図であり、図９（ｂ）は、収容部５０２に育苗ポット１００が収容された状態を示す育苗ポット用トレイ５０１の部分拡大上面図である。
【００８２】
図９（ａ）に示すように、育苗ポット用トレイ５０１の収容部５０２は、上面視において壁部２１によって正方形状に区画される。支持部材２２は、収容部４０２を長辺方向（図９の左右方向）及び短辺方向（図９の上下方向）でそれぞれ等間隔に２分割、即ち、合計で４分割するように配置される。これにより、収容部４０２には４個の育苗ポット１００が収容可能に構成されると共に、その収容状態においては、育苗ポット１００の四方を壁部２１及び支持部材２２によって支持可能に構成される。
【００８３】
よって、図９（ｂ）に示すように、収容部５０２に４個の育苗ポット１００が収容されると、４個の育苗ポット１００のそれぞれの側面は、壁部２１によって二方から支持される。これにより、かかる４個の育苗ポット１００の側面が倒れる方向を、正方形の収容部５０２の中央に集中させることができる（図９（ｂ）の矢印参照）。従って、４個の育苗ポット１００のそれぞれの側面が壁部２１によって二方から支持される場合でも、育苗ポット１００の側面どうしの密着力を確保できるので、収容部５０２に育苗ポット１００を安定して収容することができる。
【００８４】
なお、本実施形態では、支持部材２２によって取り囲まれる収容部５０２の中央部分の領域において、底部２０のリブが非形成とされているが、例えば、その領域に底面やリブを形成しても良い。この場合には、それら底面やリブから上方に向けて立設部（例えば、円柱状や角柱状、若しくは、十字状の柱）を立設させて構成することが好ましい。
【００８５】
かかる構成であれば、収容部５０２の中央に向けて倒れる４個の育苗ポット１００の側面を立設部によって支持することができる。よって、収容部５０２に育苗ポット１００をより安定して収容することができる。
【００８６】
また、立設部を形成する場合には、その立設部の上端を育苗ポット１００（床土１０１）の上端よりも上方に位置させることがより好ましい。これにより、育苗ポット１００が収容部５０２から抜け落ちようとした場合に、育苗ポット１００の側面が倒れる（育苗ポット１００の開口が広がるように変形する）ことを立設部によって抑制できる。
【００８７】
次いで、図１０を参照して、第６実施形態について説明する。第１〜第４実施形態では、収容部２，２０２，３０２，４０２の長手方向で１列に育苗ポット１００が収容される場合を説明した。これに対して、第６実施形態では、長手方向で１列に育苗ポット１００を収容可能に構成される収容部６０２ａと、その収容部６０２ａを取り囲む態様で育苗ポット１００を収容可能に構成される収容部６０２ｂ，６０２ｃと、から収容部６０２が構成される場合について説明する。
【００８８】
図１０（ａ）は、第６実施形態における育苗ポット用トレイ６０１の上面図であり、図１０（ｂ）は、収容部６０２に育苗ポット１００が収容された状態を示す育苗ポット用トレイ６０１の上面図である。
【００８９】
図１０（ａ）に示すように、育苗ポット用トレイ６０１の収容部６０２は、３個の収容部６０２ａ〜６０２ｃから構成される。収容部６０２ａは、上面視において壁部２１によって長方形状に区画される。収容部６０２ａの支持部材２２は、収容部６０２ａを長辺方向（図１０の左右方向）で等間隔に４分割するように配置され、収容部６０２ａには４個の育苗ポット１００が収容可能に構成される。
【００９０】
収容部６０２ｂの外周は壁部２１によって長方形状に区画され、収容部６０２ａの外周を区画する壁部２１によって収容部６０２ｂの内周が区画される。よって、収容部６０２ｂは、収容部６０２ａの外周全体を取り囲む態様で形成される。
【００９１】
収容部６０２ｂの支持部材２２は、収容部６０２ｂの長辺方向に延びる部位を長辺方向等間隔に６分割、短辺方向に延びる部位を短辺方向等間隔に３分割するように配置される。よって、収容部６０２ｂには、収容部６０２ａの外周に沿って１列に１４個の育苗ポット１００が収容可能に構成される。
【００９２】
収容部６０２ｃの外周は壁部２１によって長方形状に区画され、収容部６０２ｂの外周を区画する壁部２１によって収容部６０２ｃの内周が区画される。よって、収容部６０２ｃは、収容部６０２ｂの外周全体を取り囲む態様で形成される。
【００９３】
収容部６０２ｃの支持部材２２は、収容部６０２ｃの長辺方向に延びる部位を長辺方向等間隔に８分割、短辺方向に延びる部位を短辺方向等間隔に５分割するように配置される。よって、収容部６０２ｃには、収容部６０２ｂの外周に沿って１列に２２個の育苗ポット１００が収容可能に構成される。
【００９４】
これにより、各収容部６０２ａ〜６０２ｃに育苗ポット１００が収容される収容状態においては、育苗ポット１００の四方を壁部２１及び支持部材２２によって支持可能に構成される。よって、図１０（ｂ）に示すように、収容部６０２に４０個の育苗ポット１００が収容されると、第３実施形態と同様（図７（ｂ）参照）、収容部６０２ａに収容されるそれぞれの育苗ポット１００の側面が倒れようとする方向は、収容部６０２ａの長手方向に制限される。これにより、育苗ポット１００の側面どうしの押圧方向を一方向に集中させることができる（図１０（ｂ）の矢印参照）。
【００９５】
一方、収容部６０２ｂ（６０２ｃ）の四隅に位置する育苗ポット１００の側面は、長辺方向および短辺方向の二方から壁部２１によって支持されるので、かかる育苗ポット１００の側面は、床土１０１の重量によって長辺方向で隣接する育苗ポット１００や短辺方向で隣接する育苗ポット１００に向けて倒れようとする（図１０（ｂ）の矢印参照）。
【００９６】
この時、収容部６０２ｂ（６０２ｃ）の長辺方向に並ぶ各育苗ポット１００（４隅以外のもの）の側面は、短辺方向において二方から壁部２１によって支持され、収容部６０２ｂ（６０２ｃ）の短辺方向に並ぶ各育苗ポット１００（４隅以外のもの）の側面は、長辺方向において二方から壁部２１によって支持される。
【００９７】
よって、収容部６０２ｂ（６０２ｃ）の長辺方向に並ぶ各育苗ポット１００（４隅以外のもの）の側面は、床土１０１の重量によって長辺方向で隣接する育苗ポット１００に向けて倒れようとする。また、収容部６０２ｂ（６０２ｃ）の短辺方向に並ぶ各育苗ポット１００（４隅以外のもの）の側面は、床土１０１の重量により、短辺方向で隣接する育苗ポット１００に向けて倒れようとする（図１０（ｂ）の矢印参照）。
【００９８】
即ち、収容部６０２ｂ，６０２ｃに収容される各育苗ポット１００の側面は、二方に向けて（隣接する育苗ポット１００に向けて）倒れようとする。これにより、例えば、壁部２１に育苗ポット１００が一方から支持される（育苗ポット１００の側面が三方に向けて倒れようとする）構成に比べ、育苗ポット１００の側面どうしの押圧力が分散することを抑制できる。よって、育苗ポット１００の側面どうしの密着力を確保できるので、収容部６０２に育苗ポット１００を安定して収容することができる。
【００９９】
次いで、図１１を参照して、第７実施形態について説明する。第１実施形態では、長辺方向における第１リブ２０ａの中央部分が上方に向けて隆起するように突出し、２本の第１リブ２０ａの突出部分どうしが短辺方向で接続されることで支持部材２２が形成される場合を説明した。これに対して、第７実施形態では、長辺方向における第１リブ２０ａの中央部分が上方に向けて隆起するように突出しつつ壁部２１に接続されることで支持部材７２２が形成される場合について説明する。なお、上述した第１実施形態と同一の部分には同一の符号を付してその説明を省略する。
【０１００】
図１１（ａ）は、第７実施形態における育苗ポット用トレイ７０１の部分拡大上面図であり、図１１（ｂ）は、図１１（ａ）のＸＩｂ−ＸＩｂ線における育苗ポット用トレイ７０１の部分拡大断面図である。
【０１０１】
図１１に示すように、育苗ポット用トレイ７０１の収容部７０２は、その収容空間を長辺方向で等間隔に２分割する支持部材７２２を備える。よって、収容部７０２に後述する育苗ポット７００（図１２参照）が収容される収容状態においては、育苗ポット７００の四方を壁部２１及び支持部材７２２によって支持可能に構成される。
支持部材７２２は、第１リブ２０ａと壁部２１とを接続する第１支持部７２２ａ及び第２支持部７２２ｂから構成される。収容部７０２の短辺方向一側（図１１（ａ）の上側）に位置するものが第１支持部７２２ａであり、短辺方向他側（図１１（ａ）の下側）に位置するものが第２支持部７２２ｂである。
【０１０２】
第１支持部７２２ａ及び第２支持部７２２ｂは、収容部７０２の短辺方向で所定間隔を隔てて対向配置され、それら第１支持部７２２ａ及び第２支持部７２２ｂの対向間には支持部材７２２が非形成とされる領域が存在する。
【０１０３】
第１支持部７２２ａは、第１リブ２０ａから短辺方向一側の壁部２１（連結部２１ｂ）に向けて上昇傾斜する基部７２２ａ１と、その基部７２２ａ１の上端を短辺方向一側の壁部２１（長辺方向において一対の切欠き部２１ｃの間に位置する連結部２１ｂ）に接続する接続部７２２ａ２と、を備える。
【０１０４】
また、第２支持部７２２ｂは、第１リブ２０ａから短辺方向他側の壁部２１（連結部２１ｂ）に向けて上昇傾斜する基部７２２ｂ１と、その基部７２２ｂ１の上端を短辺方向他側の壁部２１（長辺方向において一対の切欠き部２１ｃの間に位置する連結部２１ｂ）に接続する接続部７２２ｂ２と、を備える。
【０１０５】
第１支持部７２２ａの接続部７２２ａ２は、高さ方向に対する傾斜角が基部７２２ａ１よりも大きく設定され、第２支持部７２２ｂの接続部７２２ｂ２も同様に、高さ方向に対する傾斜角が基部７２２ｂ１よりも大きく設定される。よって、支持部材７２２の下端側から上端側にかけて第１支持部７２２ａ及び第２支持部７２２ｂどうしの対向間隔が徐々に広くなるように構成されている。
【０１０６】
次いで、図１２を参照して、育苗ポット用トレイ７０１に収容される育苗ポット７００と、その育苗ポット７００の収容状態について説明する。図１２（ａ）は、育苗ポット７００の側面図であり、図１２（ｂ）は、収容部７０２に育苗ポット７００が収容された状態を示す育苗ポット用トレイ７０１の部分拡大断面図である。
【０１０７】
図１２（ａ）に示すように、育苗ポット７００は、側面視において台形状（円錐台状）に形成される鉢状のポットであり、樹脂材料を用いて形成される。育苗ポット７００は、その内部に収容される床土の重量によって変形する程度の柔軟性を有している。
【０１０８】
育苗ポット７００は、その側面の幅方向（図１２（ａ）の左右方向）に沿った切り込みとして形成されるスリット状のスリット部７００ａを備える点を除き、上述した育苗ポット１００と同一の構成とされる。よって、例えば、育苗ポット７００の底面の直径Ｌａや高さ寸法Ｌｂは育苗ポット１００と同一の値とされる。
【０１０９】
育苗ポット７００のスリット部７００ａには、表示板１０３が挿入され、表示板１０３は、育苗ポット７００で育苗される苗に関する情報が表示されるものである。その情報として、例えば、苗の名称、栽培方法、成長後の様子を表す図形や写真等が例示される。
【０１１０】
表示板１０３は、苗に関する情報が表示された表示部１０３ａと、その表示部１０３ａから下方に延びる挿入部１０３ｂと、を備える。挿入部１０３ｂは、表示部１０３ａ側から延設先端側（下端側）にかけて徐々に幅寸法が小さくなる略Ｕ字状に形成される。
【０１１１】
挿入部１０３ｂが育苗ポット７００の内周側からスリット部７００ａに挿入されることにより、かかる挿入状態においては、育苗ポット７００の側面（外面）に挿入部１０３ｂの先端が露出される。
【０１１２】
図１２（ｂ）に示すように、育苗ポット７００を収容部７０２に収容する場合、スリット部７００ａから露出する挿入部１０３ｂを支持部材７２２側に向ける姿勢で収容することにより、支持部材７２２が挿入部１０３ｂに干渉することを抑制できる。
【０１１３】
即ち、第１支持部７２２ａ及び第２支持部７２２ｂの対向間には支持部材７２２が非形成とされる領域が形成されているので、その領域に挿入部１０３ｂ納まるようにして育苗ポット７００を挿入することにより、かかる挿入時に支持部材７２２が挿入部１０３ｂに当接することを抑制できる。よって、収容部７０２に育苗ポット７００を収容する際に、育苗ポット７００から表示板１０３が抜け落ちることを抑制できる。
【０１１４】
また、第１実施形態と同様、育苗ポット７００の外形形状よりも若干小さい収容空間が収容部７０２に形成されているので、収容部７０２に育苗ポット７００が収容された場合、その収容空間と育苗ポット７００との体積の差の分、床土（図示せず）が支持部材７２２を挟んで隣接する収容空間側（図１２（ｂ）の紙面手前側）に変位しようとする。
【０１１５】
支持部材７２２の第１支持部７２２ａ及び第２支持部７２２ｂは、収容部７０２の短辺方向で所定間隔を隔てて配設されるので、収容部７０２に１個の育苗ポット７００が収容されると、育苗ポット７００の側面が床土の重量によって第１支持部７２２ａ及び第２支持部７２２ｂの対向間に食い込むように変形する。
【０１１６】
よって、図示は省略するが、収容部７０２に２個の育苗ポット７００が収容されると、それら２個の育苗ポット７００の側面どうしが互いに押圧し合うため、育苗ポット７００の側面どうしの密着によって育苗ポット７００を安定して保持することができる。
【０１１７】
更に、この収容状態においては、育苗ポット７００の側面が壁部２１（図１１（ａ）参照）によって三方から支持され、壁部２１の上端が育苗ポット７００の上端よりも上方に位置するので、育苗ポット７００の側面が倒れようとする方向が一方側（支持部材７２２側）に制限される。これにより、隣接する育苗ポット７００の側面どうしの密着力を高めることができるので、育苗ポット７００を安定して保持することができる。
【０１１８】
また、収容部７０２の収容空間が支持部材７２２によって区画（２分割）されているので、収容部７０２から一方の育苗ポット７００が取り出された場合には、他方の育苗ポット７００が転倒することを支持部材７２２によって規制できる。更に、収容部７０２に２個目の育苗ポット７００を収容する場合には、既に収容されている１個目の育苗ポット７００の収容位置が支持部材７２２によって規定されているので、収容部７０２に育苗ポット７００を容易に収容することができる。
【０１１９】
また、収容状態では、育苗ポット７００の側面が支持部材７２２によって幅方向（本実施形態では、短辺方向）において断続的に支持される。即ち、第１支持部７２２ａ及び第２支持部７２２ｂの対向間に加え、第１支持部７２２ａ（第２支持部７２２ｂ）と壁部２１との間には空間が形成されている。これにより、かかる空間（支持部材７２２が非形成とされる領域）を介して隣接する育苗ポット７００の側面どうしを当接させることができる。よって、育苗ポット７００どうしの間に支持部材７２２が形成される場合であっても、隣接する育苗ポット７００の側面どうしの密着力を確保できる。
【０１２０】
更に、支持部材７２２は、育苗ポット７００の側面の幅方向中央側において非形成とされ、育苗ポット７００の側面の幅方向端部側を第１支持部７２２ａ及び第２支持部７２２ｂによって支持可能に構成されている。これにより、育苗ポット７００の収容状態において、育苗ポット７００の側面の幅方向中央側（床土の重量によって変形しやすい部位）が互いに押圧し合うので、隣接する育苗ポット７００の側面どうしの密着力を高めることができる。よって、育苗ポット７００を安定して保持することができる。
【０１２１】
また、第１支持部７２２ａの基部７２２ａ１と第２支持部７２２ｂの基部７２２ｂ１との対向間隔、および、第１支持部７２２ａの接続部７２２ａ２と第２支持部７２２ｂの接続部７２２ｂ２との対向間隔は、下端側から上端側にかけて徐々に広がるように構成されている。これにより、育苗ポット７００の側面の上端側（床土の重量によって変形しやすい部位）ほど、隣接する育苗ポット７００との接触面積を大きくすることができる。よって、隣接する育苗ポット７００の側面どうしの密着力を高めることができるので、育苗ポット７００を安定して保持することができる。
【０１２２】
次いで、図１３から図１７を参照して、第８〜第１２実施形態について説明する。第７実施形態では、収容部７０２に２個の育苗ポット７００が収容可能に構成される場合を説明したが、第８〜第１２実施形態では、収容部に３個以上の育苗ポット７００が収容可能に構成される場合について説明する。なお、上述した第７実施形態と同一の部分には同一の符号を付してその説明を省略する。
【０１２３】
また、第８〜第１２実施形態の育苗ポット用トレイ８０１，９０１，１００１，１１０１，１２０１は、支持部材７２２の形状が異なる点を除き、第２〜第６実施形態の育苗ポット用トレイ２０１，３０１，４０１，５０１，６０１と実質的に同一の構成とされる。よって、例えば、長辺方向や短辺方向で対向する各壁部（壁部２１や支持部材７２２）の下端どうしを結ぶ底部２０の寸法は、第２〜第６実施形態（第１実施形態）の底部２０の寸法Ｌ１と略同一に設定されており、収容部に育苗ポット７００が収容された場合に育苗ポット７００の側面が互いに干渉し合う点についても第２〜第６実施形態（第１実施形態）と同様である。
【０１２４】
まず、図１３を参照して、第８実施形態について説明する。図１３（ａ）は、第８実施形態における育苗ポット用トレイ８０１の部分拡大上面図であり、図１３（ｂ）は、収容部８０２に育苗ポット７００が収容された状態を示す育苗ポット用トレイ８０１の部分拡大上面図である。なお、図１３では、図面を簡素化するために、第１リブ２０ａ、第２リブ２０ｂ、脚部２１ａ、連結部２１ｂ、切欠き部２１ｃ、第１支持部７２２ａ、及び、第２支持部７２２ｂの符号を省略すると共に、表示板１０３の図示を省略しており、図１４〜１７においても同様とする。
【０１２５】
図１３（ａ）に示すように、育苗ポット用トレイ８０１の収容部８０２は、上面視において壁部２１によって長辺方向に長い長方形状に区画される。支持部材７２２は、収容部８０２を長手方向（長辺方向）で等間隔に３分割するように配置され、収容部８０２には、その長手方向で１列に３個の育苗ポット７００が収容可能に構成される。また、その収容状態においては、育苗ポット７００の四方を壁部２１及び支持部材７２２によって支持可能に構成される。
【０１２６】
よって、図１３（ｂ）に示すように、収容部８０２に３個の育苗ポット７００が収容されると、それら３個の育苗ポット７００の側面どうしが互いに押圧し合った状態で収容部８０２に収容される。これにより、床土１０１の重量によって育苗ポット７００の側面が倒れようとする方向は、収容部８０２の長手方向に制限されるので、育苗ポット７００の側面どうしの押圧方向を一方向に集中させることができる。
【０１２７】
よって、育苗ポット７００の側面どうしの密着力を確保できるので、収容部８０２に育苗ポット７００を安定して収容することができる。また、壁部２１によって二方から支持される育苗ポット７００が存在する場合でも、育苗ポット７００の側面どうしの密着力を確保できるので、収容部８０２に育苗ポット７００を安定して収容することができる。
【０１２８】
次いで、図１４を参照して、第９実施形態について説明する。第８実施形態では、収容部８０２に３個の育苗ポット７００が収容可能に構成される場合を説明したが、第９実施形態では、収容部９０２に４個の育苗ポット７００が収容可能に構成される場合について説明する。
【０１２９】
図１４（ａ）は、第９実施形態における育苗ポット用トレイ９０１の部分拡大上面図であり、図１４（ｂ）は、収容部９０２に育苗ポット７００が収容された状態を示す育苗ポット用トレイ９０１の部分拡大上面図である。
【０１３０】
図１４（ａ）に示すように、育苗ポット用トレイ９０１の収容部９０２は、上面視において壁部２１によって長辺方向に長い長方形状に区画される。支持部材７２２は、収容部９０２を長手方向（長辺方向）で等間隔に４分割するように配置され、収容部９０２には、その長手方向で１列に４個の育苗ポット７００が収容可能に構成される。また、その収容状態においては、育苗ポット７００の四方を壁部２１及び支持部材７２２によって支持可能に構成される。
【０１３１】
よって、図１４（ｂ）に示すように、収容部９０２に４個の育苗ポット７００が収容されると、長辺方向の両端側に位置する２個の育苗ポット７００の側面は、壁部２１によって三方から支持される。一方、収容部９０２の長辺方向中央側に位置する２個の育苗ポット７００の側面は、収容部９０２の短手方向（図１４の上下方向）から挟持される態様で壁部２１によって二方から支持される。これにより、育苗ポット７００の側面どうしの押圧方向を一方向に集中させることができるので、育苗ポット７００の側面どうしの密着力を確保できる。
【０１３２】
次いで、図１５を参照して、第１０実施形態について説明する。第９実施形態では、収容部９０２に４個の育苗ポット７００が収容可能に構成される場合を説明したが、第１０実施形態では、収容部１００２に８個の育苗ポット７００が収容可能に構成される場合について説明する。
【０１３３】
図１５（ａ）は、第１０実施形態における育苗ポット用トレイ１００１の部分拡大上面図であり、図１５（ｂ）は、収容部１００２に育苗ポット７００が収容された状態を示す育苗ポット用トレイ１００１の部分拡大上面図である。
【０１３４】
図１５（ａ）に示すように、育苗ポット用トレイ１００１の収容部１００２は、上面視において壁部２１によって長辺方向に長い長方形状に区画される。支持部材７２２は、収容部１００２を長手方向（長辺方向）で等間隔に８分割するように配置され、収容部１００２には、その長手方向で１列に８個の育苗ポット７００が収容可能に構成される。また、その収容状態においては、育苗ポット７００の四方を壁部２１及び支持部材７２２によって支持可能に構成される。
【０１３５】
これにより、図１５（ｂ）に示すように、収容部１００２に８個の育苗ポット７００が収容されると、長辺方向の両端側に位置する２個の育苗ポット７００の側面は、壁部２１によって三方から支持される。一方、収容部１００２の長辺方向中央側に位置する６個の育苗ポット７００の側面は、収容部１００２の短手方向（図１５の上下方向）から挟持される態様で壁部２１によって二方から支持される。よって、育苗ポット７００の側面どうしの押圧方向を一方向に集中させることができるので、育苗ポット７００の側面どうしの密着力を確保できる。
【０１３６】
次いで、図１６を参照して、第１１実施形態について説明する。第８〜第１０実施形態では、上面視において壁部２１によって収容部８０２，９０２，１００２が長方形状に区画される場合を説明したが、第１１実施形態では、上面視において壁部２１によって収容部１１０２が正方形状に区画される場合について説明する。
【０１３７】
図１６（ａ）は、第１１実施形態における育苗ポット用トレイ１１０１の部分拡大上面図であり、図１６（ｂ）は、収容部１１０２に育苗ポット７００が収容された状態を示す育苗ポット用トレイ１１０１の部分拡大上面図である。
【０１３８】
図１６（ａ）に示すように、育苗ポット用トレイ１１０１の収容部１１０２は、上面視において壁部２１によって正方形状に区画される。支持部材７２２は、収容部１１０２を長辺方向（図１６の左右方向）及び短辺方向（図１６の上下方向）でそれぞれ等間隔に２分割、即ち、合計で４分割するように配置され、収容部１１０２には４個の育苗ポット７００が収容可能に構成される。また、その収容状態においては、育苗ポット７００の四方を壁部２１及び支持部材７２２によって支持可能に構成される。
【０１３９】
よって、図１６（ｂ）に示すように、収容部１１０２に４個の育苗ポット７００が収容されると、４個の育苗ポット７００のそれぞれの側面は、壁部２１によって二方から支持される。これにより、かかる４個の育苗ポット７００の側面が倒れる方向を、正方形の収容部１１０２の中央に集中させることができる（図１６（ｂ）の矢印参照）。従って、４個の育苗ポット７００のそれぞれの側面が壁部２１によって二方から支持される場合でも、育苗ポット７００の側面どうしの密着力を確保できるので、収容部１１０２に育苗ポット７００を安定して収容することができる。
【０１４０】
また、収容部１１０２の中央部分に向けて４個の支持部材７２２が上方に向けて立設され、それら支持部材７２２の上端どうしが連結されることにより、収容部１１０２の中央には、底部２０側から立設される柱状の立設部が形成される。これにより、収容部１１０２の中央に向けて倒れる４個の育苗ポット７００の側面を立設部（４個の支持部材７２２）によって支持することができる。よって、収容部１１０２に育苗ポット１００をより安定して収容することができる。
【０１４１】
次いで、図１７を参照して、第１２実施形態について説明する。第７〜第１０実施形態では、収容部７０２，８０２，９０２，１００２の長手方向で１列に育苗ポット７００が収容される場合を説明した。これに対して、第１２実施形態では、長手方向で１列に育苗ポット７００を収容可能に構成される収容部１２０２ａと、その収容部１２０２ａを取り囲む態様で育苗ポット７００を収容可能に構成される収容部１２０２ｂ，１２０２ｃと、から収容部１２０２が構成される場合について説明する。
【０１４２】
図１７（ａ）は、第１２実施形態における育苗ポット用トレイ１２０１の上面図であり、図１７（ｂ）は、収容部１２０２に育苗ポット７００が収容された状態を示す育苗ポット用トレイ１２０１の上面図である。
【０１４３】
図１７（ａ）に示すように、育苗ポット用トレイ１２０１の収容部１２０２は、３個の収容部１２０２ａ〜１２０２ｃから構成される。収容部１２０２ａは、上面視において壁部２１によって長方形状に区画される。収容部１２０２ａの支持部材７２２は、収容部１２０２ａを長辺方向（図１７の左右方向）で等間隔に４分割するように配置され、収容部１２０２ａには４個の育苗ポット７００が収容可能に構成される。
【０１４４】
収容部１２０２ｂの外周は壁部２１によって長方形状に区画され、収容部１２０２ａの外周を区画する壁部２１によって収容部１２０２ｂの内周が区画される。よって、収容部１２０２ｂは、収容部１２０２ａの外周全体を取り囲む態様で形成される。
【０１４５】
収容部１２０２ｂの支持部材７２２は、収容部１２０２ｂの長辺方向に延びる部位を長辺方向等間隔に６分割、短辺方向に延びる部位を短辺方向等間隔に３分割するように配置される。よって、収容部１２０２ｂには、収容部１２０２ａの外周に沿って１列に１４個の育苗ポット７００が収容可能に構成される。
【０１４６】
収容部１２０２ｃの外周は壁部２１によって長方形状に区画され、収容部１２０２ｂの外周を区画する壁部２１によって収容部１２０２ｃの内周が区画される。よって、収容部１２０２ｃは、収容部１２０２ｂの外周全体を取り囲む態様で形成される。
【０１４７】
収容部１２０２ｃの支持部材７２２は、収容部１２０２ｃの長辺方向に延びる部位を長辺方向等間隔に８分割、短辺方向に延びる部位を短辺方向等間隔に５分割するように配置される。よって、収容部１２０２ｃには、収容部１２０２ｂの外周に沿って１列に２２個の育苗ポット７００が収容可能に構成される。
【０１４８】
これにより、各収容部１２０２ａ〜１２０２ｃに育苗ポット７００が収容される収容状態においては、育苗ポット７００の四方を壁部２１及び支持部材７２２によって支持可能に構成される。よって、図１７（ｂ）に示すように、収容部１２０２に４０個の育苗ポット７００が収容されると、収容部１２０２ａに収容されるそれぞれの育苗ポット７００の側面が倒れようとする方向は、収容部１２０２ａの長手方向に制限される。これにより、育苗ポット７００の側面どうしの押圧方向を一方向に集中させることができる（図１７（ｂ）の矢印参照）。
【０１４９】
一方、収容部１２０２ｂ（１２０２ｃ）の四隅に位置する育苗ポット７００の側面は、長辺方向および短辺方向の二方から壁部２１によって支持されるので、かかる育苗ポット７００の側面は、床土１０１の重量によって長辺方向で隣接する育苗ポット７００や短辺方向で隣接する育苗ポット７００に向けて倒れようとする（図１７（ｂ）の矢印参照）。
【０１５０】
この時、収容部１２０２ｂ（１２０２ｃ）の長辺方向に並ぶ各育苗ポット７００（４隅以外のもの）の側面は、短辺方向において二方から壁部２１によって支持され、収容部１２０２ｂ（１２０２ｃ）の短辺方向に並ぶ各育苗ポット７００（４隅以外のもの）の側面は、長辺方向において二方から壁部２１によって支持される。
【０１５１】
よって、収容部１２０２ｂ（１２０２ｃ）の長辺方向に並ぶ各育苗ポット７００（４隅以外のもの）の側面は、床土１０１の重量によって長辺方向で隣接する育苗ポット７００に向けて倒れようとする。また、収容部１２０２ｂ（１２０２ｃ）の短辺方向に並ぶ各育苗ポット７００（４隅以外のもの）の側面は、床土１０１の重量により、短辺方向で隣接する育苗ポット７００に向けて倒れようとする（図１７（ｂ）の矢印参照）。
【０１５２】
即ち、収容部１２０２ｂ，１２０２ｃに収容される各育苗ポット７００の側面は、二方に向けて（隣接する育苗ポット７００に向けて）倒れようとする。これにより、例えば、壁部２１に育苗ポット７００が一方から支持される（育苗ポット７００の側面が三方に向けて倒れようとする）構成に比べ、育苗ポット７００の側面どうしの押圧力が分散することを抑制できる。よって、育苗ポット７００の側面どうしの密着力を確保できるので、収容部１２０２に育苗ポット７００を安定して収容することができる。
【０１５３】
次いで、図１８（ａ）を参照して、第１３実施形態について説明する。第１実施形態では、連結部２１ｂの上端部分を下方に切欠くことで切欠き部２１ｃが形成される場合を説明した。これに対し第１３実施形態では、切欠き部１３２１ｃが形成されることで壁部１４２１（連結部２１ｂ）が分断される場合について説明する。なお、上述した第１実施形態と同一の部分には同一の符号を付してその説明を省略する。図１８（ａ）は、第１３実施形態における育苗ポット用トレイ１３０１の部分拡大斜視図である。
【０１５４】
図１８（ａ）に示すように、育苗ポット用トレイ１３０１の収容部１３０２は、連結部２１ｂを上下に切除する態様で切欠き部１３２１ｃが形成され、その切欠き部１３２１ｃによって壁部１３２１（連結部２１ｂ）の一部が長辺方向や短辺方向で分断される。なお、本実施形態の切欠き部１３２１ｃは、切り欠き深さが異なる点を除き、形成位置等は第１実施形態の切欠き部２１ｃと同様の構成である。
【０１５５】
このような構成の場合にも、隣接する収容部１３０２どうしが切欠き部１３２１ｃ（壁部１３２１の分断部分）によって連通されるので、隣接する収容部１３０２のそれぞれに収容される育苗ポット（図示せず）の上端部分を、切欠き部１３２１ｃを介して同時に掴むことができる。よって、育苗ポットよりも壁部１３２１が高く形成される場合でも、育苗ポットを収容部１３０２から容易に取り出すことができる。
【０１５６】
このように、育苗ポットが抜け落ちる方向に変位をした場合に、育苗ポットの上端側の部位が四方に広がるように変形することを抑制できる程度であれば、壁部に対する貫通孔や切欠きの形成位置や個数は適宜設定できる。即ち、少なくとも壁部の一部を育苗ポット（床土）の上端よりも高く形成し、育苗ポットが抜け落ちることを抑制できる構成であれば、壁部の構成は上記各実施形態に限定されるものではない。
【０１５７】
次いで、図１８（ｂ）及び図１９を参照して、第１４実施形態について説明する。上記各実施形態では、支持部材２２，７２２の全体が育苗ポットの上端よりも下方に位置する場合を説明した。これに対し第１４実施形態では、支持部材１４２２の一部が育苗ポットの上端よりも上方に位置する場合について説明する。なお、上述した各実施形態と同一の部分には同一の符号を付してその説明を省略する。
【０１５８】
図１８（ｂ）は、第１４実施形態における育苗ポット用トレイ１４０１の部分拡大上面図であり、図１９（ａ）は、図１８（ｂ）のＸＩＸａ−ＸＩＸａ線における育苗ポット用トレイ１４０１の部分拡大断面図である。
【０１５９】
図１８（ｂ）及び図１９（ａ）に示すように、育苗ポット用トレイ１４０１の収容部１４０２は、その収容空間を長辺方向で等間隔に２分割する支持部材１４２２を備える。支持部材１４２２は、第１リブ２０ａと壁部２１とを接続する第１支持部１４２２ａ及び第２支持部１４２２ｂと、それら第１支持部１４２２ａ及び第２支持部１４２２ｂどうしを収容部１４０２の短辺方向で接続する第３支持部１４２２ｃと、を備える。
【０１６０】
収容部１４０２の短辺方向一側（図１８（ｂ）の上側）に位置するものが第１支持部１４２２ａであり、短辺方向他側（図１８（ｂ）の下側）に位置するものが第２支持部１４２２ｂである。第１支持部１４２２ａ及び第２支持部１４２２ｂは、収容部１４０２の短辺方向で所定間隔を隔てて対向配置されており、それら第１支持部１４２２ａ及び第２支持部１４２２ｂの対向間に第３支持部１４２２ｃが架設される。
【０１６１】
第１支持部１４２２ａは、第１リブ２０ａから短辺方向一側の壁部２１（連結部２１ｂ）に向けて略直線状に上昇傾斜して形成され、第２支持部１４２２ｂは、第１リブ２０ａから短辺方向他側の壁部２１（連結部２１ｂ）に向けて略直線状に上昇傾斜して形成される。第３支持部１４２２ｃは、第１支持部１４２２ａ及び第２支持部１４２２ｂの上下方向中央よりも下方側に位置される。
【０１６２】
次いで、図１９（ｂ）を参照して、育苗ポット用トレイ１４０１に育苗ポット１００が収容された状態について説明する。図１９（ｂ）は、収容部１４０２に育苗ポット１００が収容された状態を示す育苗ポット用トレイ１４０１の部分拡大断面図である。
【０１６３】
図１９（ｂ）に示すように、収容部１４０２に育苗ポット１００が収容された収容状態において、第１支持部１４２２ａや第２支持部１４２２ｂの上端は、育苗ポット１００よりも上方に位置しているが、育苗ポット１００の側面の一部の領域においては、支持部材１４２２が非形成とされている。
【０１６４】
即ち、第１支持部１４２２ａ及び第２支持部１４２２ｂは、収容部１４０２の短辺方向で所定間隔を隔てて対向配置され、それら第１支持部１４２２ａ及び第２支持部１４２２ｂの上下方向中央よりも下方側の部位が第３支持部１４２２ｃによって接続される。よって、それら第１支持部１４２２ａ、第２支持部１４２２ｂ、及び、第３支持部１４２２ｃによって取り囲まれる領域は、育苗ポット１００が互いの側面を押圧可能な領域となっている。
【０１６５】
このように、少なくとも隣接する育苗ポットが互いの側面を押圧可能な程度であれば、支持部材の形成位置、若しくは、支持部材に対する貫通孔や切欠きの形成位置や個数は適宜設定できる。即ち、少なくとも一部の領域において支持部材を非形成とし、隣接する育苗ポットが互いの側面を押圧可能な構成であれば、支持部材の構成は上記各実施形態に限定されるものではない。
【０１６６】
以上、上記実施の形態に基づき本発明を説明したが、本発明は上記形態に何ら限定されるものではなく、本発明の趣旨を逸脱しない範囲内で種々の変形改良が可能であることは容易に推察できるものである。例えば、育苗ポット用トレイ１，２０１，３０１，４０１，５０１，６０１，７０１，８０１，９０１，１００１，１１０１，１２０１，１３０１，１４０１の各部の寸法、収容部２，２０２，３０２，４０２，５０２，６０２，７０２，８０２，９０２，１００２，１１０２，１２０２，１３０２，１４０２に収容される育苗ポット１００，７００の個数、育苗ポット１００，７００の各部の寸法等は例示であり、適宜設定できる。
【０１６７】
よって、例えば、育苗ポット１００，７００の寸法に応じて育苗ポット用トレイ１，２０１，３０１，４０１，５０１，６０１，７０１，８０１，９０１，１００１，１１０１，１２０１，１３０１，１４０１の各部の寸法を適宜設定すれば良い。また、１個の収容部に収容される育苗ポット１００，７００の数が如何なる個数であっても、育苗ポット１００，７００の側面が２又は３の壁部２１，１３２１によって二方または三方から支持される構成であれば、壁部２１，１３２１や支持部材２２，７２２，１４２２の配置は適宜設定できる。
【０１６８】
上記各実施形態において、一の実施形態における構成の一部または全部を、他の実施形態における構成の一部または全部の構成と組み合わせて或いは置き換えて、別の実施形態としても良い。よって、例えば、第１〜第１４実施形態の収容部２，２０２，３０２，４０２，５０２，６０２，７０２，８０２，９０２，１００２，１１０２，１２０２，１３０２，１４０２を組み合わせて育苗ポット用トレイを構成しても良い。
【０１６９】
上記各実施形態では、底部２０が第１リブ２０ａや第２リブ２０ｂを備え、壁部２１，１３２１が脚部２１ａや切欠き部２１ｃ，１３２１ｃを備える場合を説明したが、必ずしもこれに限られるものではない。例えば、第１リブ２０ａ、第２リブ２０ｂ、脚部２１ａ、又は、切欠き部２１ｃ，１３２１ｃの一部を省略することや、形成個数を増やすことは当然可能である。即ち、床土１０１が充填された育苗ポット１００，７００を保持できる程度の剛性を有していれば、底部２０や壁部２１，１３２１は１枚の板状体でも良く、その板状体の底部２０や壁部２１，１３２１に形成する貫通孔や切欠きの数は適宜設定できる。
【０１７０】
上記各実施形態では、収容状態において壁部２１，１３２１の上端が育苗ポット１００，７００の上端よりも上方に位置する場合を説明したが、必ずしもこれに限られるものではない。例えば、収容状態において壁部２１，１３２１の上端が育苗ポット１００，７００の床土１０１の上端よりも上方に位置する構成であれば、床土１０１の重量によって育苗ポット１００，７００の側面が倒れることを壁部２１によって規制できる。
【０１７１】
また、壁部２１，１３２１の高さ寸法Ｌ２は、育苗ポット１００，７００の高さ寸法Ｌｂの４／３未満であることが好ましい。これにより、壁部２１，１３２１の高さが過剰に高くなることを抑制できるので、育苗ポット１００，７００が高さ方向で大型化することを抑制できる。
【０１７２】
上記各実施形態では、収容部２，２０２，３０２，４０２，５０２，６０２，７０２，８０２，９０２，１００２，１１０２，１２０２，１３０２，１４０２に支持部材２２，７２２，１４２２が形成される場合を説明したが、必ずしもこれに限られるものではなく、例えば、収容部の支持部材２２，７２２，１４２２を省略する構成や、収容部の一部の領域のみに支持部材２２，７２２，１４２２を形成する構成でも良い。支持部材２２，７２２，１４２２を省略する構成であっても、少なくとも収容状態において壁部２１，１３２１の上端を育苗ポット１００，７００の床土１０１の上端よりも上方に位置させれば良い。これにより、収容部から育苗ポットが抜け落ちようとしても、隣接する育苗ポット１００，７００の側面どうしの密着力が低減することを抑制できるので、収容部から育苗ポット１００，７００が抜け落ちることを抑制できる。
【０１７３】
上記各実施形態では、支持部材２２，７２２，１４２２が底部２０から立設される場合を説明したが、必ずしもこれに限られるものではない。例えば、壁部２１どうしに架設される態様で支持部材が形成される構成でも良い。即ち、床土１０１が充填された育苗ポット１００，７００を保持できる程度の剛性を有していれば、支持部材は１枚の板状体でも良く、その板状体の支持部材に形成する貫通孔や切欠きの数は適宜設定できる。
【０１７４】
上記各実施形態では、壁部２１，１３２１（連結部２１ｂ）の上端側の部位の高さ方向に対する傾斜角が下端側の部位に比べて角度θの分、小さく設定されている場合を説明したが、必ずしもこれに限られるものではない。例えば、壁部２１，１３２１の全体を同一の傾斜角で傾斜させても良く、壁部２１，１３２１の全体を垂直に立設させる構成でも良い。即ち、壁部２１，１３２１の傾斜角が育苗ポット１００，７００の側面の傾斜角よりも垂直に近い構成であれば、育苗ポット１００，７００の側面を壁部２１，１３２１が非形成とされる側に変形させることができる。
【０１７５】
上記第１〜１２実施形態および第１４実施形態では、収容状態において壁部２１の切欠き部２１ｃの下端が育苗ポット１００，７００の上端よりも下方に位置する場合を説明したが、壁部２１の切欠き部２１ｃの下端は、育苗ポット１００，７００の高さ寸法Ｌ２の１／２以上の高さに位置することが好ましく、床土１０１の上端よりも上方に位置することがより好ましい。
【０１７６】
壁部２１の切欠き部２１ｃの下端が育苗ポット１００，７００の高さ寸法Ｌ２の１／２以上の高さに位置することにより、壁部２１の剛性が低下することを抑制できる。また、壁部２１の切欠き部２１ｃの下端が床土１０１の上端よりも上方に位置することにより、壁部２１の剛性を確保しつつ、切欠き部２１ｃを介して隣接する育苗ポット１００，７００どうしを同時に掴むことができる。
【０１７７】
上記第１〜第６実施形態では、支持部材２２の高さ寸法Ｌ３が育苗ポット１００の高さ寸法Ｌｂよりも低い場合を説明した。支持部材２２の高さ寸法Ｌ３は、育苗ポット１００の高さ寸法Ｌｂよりも低く、且つ、壁部２１の高さ寸法Ｌ２の２５％以上かつ５０％未満の高さに設定されることが好ましく、壁部２１の高さ寸法Ｌ２の３０％以上かつ４５％未満に設定することがより好ましい。
【０１７８】
支持部材２２の高さ寸法Ｌ３を育苗ポット１００の高さ寸法Ｌｂよりも低く、且つ、壁部２１の高さ寸法Ｌ２の２５％以上に設定することにより、育苗ポット１００の側面どうしの密着力が分散することを抑制できる。また、支持部材２２の高さ寸法Ｌ３を育苗ポット１００の高さ寸法Ｌｂよりも低く、且つ、壁部２１の高さ寸法Ｌ２の５０％未満に設定することにより、育苗ポット１００の側面どうしの当接面積を確保し、育苗ポット１００の側面どうしの密着力を確保できる。
【０１７９】
支持部材２２の高さ寸法Ｌ３を育苗ポット１００の高さ寸法Ｌｂよりも低く、且つ、壁部２１の高さ寸法Ｌ２の３０％以上に設定することにより、育苗ポット１００の側面どうしの密着力が分散することをより効果的に抑制できる。また、支持部材２２の高さ寸法Ｌ３を育苗ポット１００の高さ寸法Ｌｂよりも低く、且つ、壁部２１の高さ寸法Ｌ２の４５％未満に設定することにより、育苗ポット１００の側面どうしの当接面積を確保し、育苗ポット１００の側面どうしの密着力をより効果的に確保できる。
【０１８０】
上記第１〜第４実施形態および第７〜第１０実施形態では、収容部２，２０２，３０２，４０２，７０２，８０２，９０２，１００２が長辺方向に複数の育苗ポット１００，８００を収容可能に構成される場合を説明したが、必ずしもこれに限られるものではない。例えば、収容部が短辺方向に複数の育苗ポット１００，７００を収容可能に構成されても良い。
【符号の説明】
【０１８１】
１，２０１，３０１，４０１，５０１，６０１，７０１，８０１，９０１，１００１，１１０１，１２０１，１３０１，１４０１  育苗ポット用トレイ
２，２０２，３０２，４０２，５０２，６０２，７０２，８０２，９０２，１００２，１１０２，１２０２，１３０２，１４０２  収容部
２０                                  底部
２１，１３２１                        壁部
２１ａ                                脚部（第２傾斜部の一部）
２１ｂ                                連結部（第１傾斜部、第２傾斜部の一部）
２１ｃ，１３２１ｃ                    切欠き部
２２，７２２，１４２２                支持部材
１００，７００                        育苗ポット
１０１                                床土（充填物）
【図１】
2019195311.tif 000003
【図２】
2019195311.tif 000004
【図３】
2019195311.tif 000005
【図４】
2019195311.tif 000006
【図５】
2019195311.tif 000007
【図６】
2019195311.tif 000008
【図７】
2019195311.tif 000009
【図８】
2019195311.tif 000010
【図９】
2019195311.tif 000011
【図１０】
2019195311.tif 000012
【図１１】
2019195311.tif 000013
【図１２】
2019195311.tif 000014
【図１３】
2019195311.tif 000015
【図１４】
2019195311.tif 000016
【図１５】
2019195311.tif 000017
【図１６】
2019195311.tif 000018
【図１７】
2019195311.tif 000019
【図１８】
2019195311.tif 000020
【図１９】
2019195311.tif 000021